(57)【要約】      （修正有）【課題】シンプル、コンパクト、低コストで、着座者の快適性が増す多機能バランスチェアを提供する。【解決手段】多機能バランスチェアは、支持部１０、シート部２０及び膝当て部３０を含む。シート部は、支持部に可動に接続され、シート部の相対的な移動によりシート部と水平面との夾角を制御可能である。膝当て部はシート部に可動に接続され、接続機構を介して支持部に接続される。シート部と膝当て部の移動は連動する。膝当て部がシート部に対し整列する位置にある場合にはチェア状態となり、椅子を構成する。座面部はシート部と膝当て部を含むため、面積が拡大する。膝当てが着座者の足部の配置に干渉することがない。また膝当て部が膝当てを構成する位置にある場合にはバランスチェアを構成し、シート部は傾斜し、傾斜面が前方を向く。膝当て部も傾斜し、傾斜面が後方を向く。着座者はシート部に座り、両足を膝当て部で支える。【選択図】図１
0003226353.tif 000002
【実用新案登録請求の範囲】
【請求項１】
支持部、シート部及び膝当て部を含む多機能バランスチェアであって、
前記シート部は支持部に可動に接続され、シート部の相対的な移動によってシート部と水平面との夾角を制御可能であり、
前記膝当て部は、シート部に可動に接続されるとともに、接続機構を介して支持部に接続され、前記膝当て部は、シート部に対し整列する位置と、バランスチェアの膝当てを構成する位置との間で移動可能であり、前記シート部の移動と膝当て部の移動が連動することを特徴とする多機能バランスチェア。
【請求項２】
前記シート部は支持部に回動可能に接続され、前記膝当て部はシート部に回動可能に接続されることを特徴とする請求項１に記載の多機能バランスチェア。
【請求項３】
更に、伸縮機構を含み、前記伸縮機構は、一端が支持部に回動可能に接続されるとともに、他端がシート部の後部に回動可能に接続されることを特徴とする請求項１に記載の多機能バランスチェア。
【請求項４】
更に、支持部に接続されるスタンドを含み、前記スタンドには、スタンドに沿って相対的にスライド可能なスライドベースが設けられ、前記シート部には、シート部に対しスライド可能なスライドロッドが接続され、前記スライドロッドはスライドベースに接続されることを特徴とする請求項１に記載の多機能バランスチェア。
【請求項５】
前記スタンドは、円心がシート部の回動軸線に位置する弧線上に設けられることを特徴とする請求項４に記載の多機能バランスチェア。
【請求項６】
更に、背もたれを含み、前記背もたれはスタンドに接続されることを特徴とする請求項４に記載の多機能バランスチェア。
【請求項７】
更に、手すりを含み、前記手すりはスタンドに接続されることを特徴とする請求項４に記載の多機能バランスチェア。
【請求項８】
更に、背もたれを含み、前記背もたれには下方にスライド可能なスライドロッドが設けられ、前記スライドロッドの下端は支持部に回動可能に接続され、
前記シート部の後部は背もたれに回動可能に接続されることを特徴とする請求項２に記載の多機能バランスチェア。
【請求項９】
前記接続機構は同期コネクティングロッドを含み、前記同期コネクティングロッドは、一端が膝当て部に回動可能に接続され、他端が、支持部に接続されるとともに、支持部に対し回動可能であることを特徴とする請求項１〜８のいずれかに記載の多機能バランスチェア。
【請求項１０】
前記シート部の前方中央には突出する張り出し部が設けられ、前記膝当て部の後方中央には凹陥する凹陥部が凹設され、シート部に対し整列する位置にある膝当て部の凹陥部と張り出し部の凹凸が係合することを特徴とする請求項１〜８のいずれかに記載の多機能バランスチェア。
【請求項１１】
前記膝当て部はシート部に回動可能に接続され、
前記シート部の前方中央には突出する張り出し部が設けられ、前記膝当て部の後方中央には凹陥する凹陥部が凹設され、シート部に対し整列する位置にある膝当て部の凹陥部と張り出し部の凹凸が係合し、
前記膝当て部とシート部の回動軸線が、張り出し部の前部と凹陥部の後部を通過することを特徴とする請求項１、３〜８のいずれかに記載の多機能バランスチェア。
【請求項１２】
前記膝当て部の前部下方にはコネクティングロッド支持アームが固設され、
前記接続機構は同期コネクティングロッドを含み、前記同期コネクティングロッドは、一端が膝当て部のコネクティングロッド支持アームの基端に回動可能に接続され、他端が、支持部に接続されるとともに、支持部に対し回動可能であることを特徴とする請求項１１に記載の多機能バランスチェア。
【請求項１３】
支持部、シート部及び膝当て部を含む多機能バランスチェアであって、
前記シート部は支持部に可動に接続され、シート部の相対的な移動によってシート部と水平面との夾角を制御可能であり、
前記膝当て部は、シート部に可動に接続されるとともに、接続機構を介して支持部に接続され、
前記膝当て部がシート部に対し整列する位置にある場合にはチェア状態となり、
シート部が傾斜して配置されるとともに傾斜面が前方を向き、前記膝当て部が傾斜して配置されるとともに傾斜面が後方を向く場合、形状がバランスチェア状態となることを特徴とする多機能バランスチェア。
【考案の詳細な説明】
【技術分野】
【０００１】
本考案はバランスチェアに関し、特に、多機能バランスチェアに関する。
【背景技術】
【０００２】
従来のバランスチェアは、支持台、支持台に固設される背もたれ、支持台に固設されるシート部、及び支持台に固設される膝当て部を含む。前記バランスチェアは単一の機能しか備えていないため、改良の余地がある。
【０００３】
上記の欠点に対し、解決策が提案されている。例えば、特許文献１は、座板、スタンド及び背もたれを含む可変バランスチェアを提供している。スタンドの後座板調節スリーブと後支持ロッドは、昇降を実現可能な接続方式で接続されており、座板とスタンドは位置決め組み込み式の接続方式で接続されている。また、膝・足支持パッドは、人体の着席時に膝・足部に対応するスタンド部分に固定される。前記可変バランスチェアは、チェア状態とバランスチェアとの間で変形可能であるが、チェア状態で使用する場合、膝・足支持パッドの存在が着座者の足部の配置に干渉するため、着座者は不快感を覚える。また、座板面積が小さ過ぎることからも、着座者は不快感を覚える。
【先行技術文献】
【特許文献】
【０００４】
【特許文献１】中国実用新案第２３９０４８４号明細書
【考案の概要】
【考案が解決しようとする課題】
【０００５】
本考案は、背景技術の多機能バランスチェアに存在する瑕疵を解消した多機能バランスチェアを提供する。
【課題を解決するための手段】
【０００６】
本考案は、技術的課題を解決するために以下の技術方案を用いる。
【０００７】
多機能バランスチェアであって、支持部、シート部及び膝当て部を含み、前記シート部は支持部に可動に接続され、シート部の相対的な移動によってシート部と水平面との夾角を制御可能であり、前記膝当て部は、シート部に可動に接続されるとともに、接続機構を介して支持部に接続され、前記膝当て部は、シート部に対し整列する位置と、バランスチェアの膝当てを構成する位置との間で移動可能であり、前記シート部の移動と膝当て部の移動が連動する。
【０００８】
一実施例において、前記シート部は支持部に回動可能に接続され、前記膝当て部はシート部に回動可能に接続される。
【０００９】
一実施例において、更に、伸縮機構を含み、前記伸縮機構は、一端が支持部に回動可能に接続されるとともに、他端がシート部の後部に回動可能に接続される。
【００１０】
一実施例において、更に、支持部に接続されるスタンドを含み、前記スタンドには、スタンドに沿って相対的にスライド可能なスライドベースが設けられ、前記シート部には、シート部に対しスライド可能なスライドロッドが接続され、前記スライドロッドはスライドベースに接続される。
【００１１】
一実施例において、前記スタンドは、円心がシート部の回動軸線に位置する弧線を描く。
【００１２】
一実施例において、更に、背もたれを含み、前記背もたれはスタンドに接続される。
【００１３】
一実施例において、更に、手すりを含み、前記手すりはスタンドに接続される。
【００１４】
一実施例において、更に、背もたれを含み、前記背もたれには下方にスライド可能なスライドロッドが設けられ、前記スライドロッドの下端は支持部に回動可能に接続され、前記シート部の後部は背もたれに回動可能に接続される。
【００１５】
一実施例において、前記接続機構は同期コネクティングロッドを含み、前記同期コネクティングロッドは、一端が膝当て部に回動可能に接続され、他端が、支持部に接続されるとともに、支持部に対し回動可能である。
【００１６】
一実施例において、前記シート部の前方中央には突出する張り出し部が設けられ、前記膝当て部の後方中央には凹陥する凹陥部が凹設され、シート部に対し整列する位置にある膝当て部の凹陥部と張り出し部の凹凸が係合する。
【００１７】
一実施例において、前記膝当て部はシート部に回動可能に接続され、前記シート部の前方中央には突出する張り出し部が設けられ、前記膝当て部の後方中央には凹陥する凹陥部が凹設され、シート部に対し整列する位置にある膝当て部の凹陥部と張り出し部の凹凸が係合し、前記膝当て部とシート部の回動軸線が、張り出し部の前部と凹陥部の後部を通過する。
【００１８】
一実施例において、前記膝当て部の前部下方にはコネクティングロッド支持アームが固設され、前記接続機構は同期コネクティングロッドを含み、前記同期コネクティングロッドは、一端が膝当て部のコネクティングロッド支持アームの基端に回動可能に接続され、他端が、支持部に接続されるとともに、支持部に対し回動可能である。
【考案の効果】
【００１９】
本技術方案には、背景技術と比較して次のような利点がある。
【００２０】
シート部は支持部に可動に接続され、シート部の相対的な移動によってシート部と水平面との夾角を制御可能である。膝当て部は、シート部に可動に接続されるとともに、接続機構を介して支持部に接続される。膝当て部は、シート部に対し整列する位置と、バランスチェアの膝当てを構成する位置との間で移動可能である。シート部の移動と膝当て部の移動は連動する。膝当て部がシート部に対し整列する位置にある場合、バランスチェアはチェア状態となり、市場で一般的な椅子を構成する。前記椅子の座面部は、シート部を含むだけでなく膝当て部も含むため、座面部の面積が拡大する。且つ、膝当てが着座者の足部の配置に干渉することがない。また、膝当て部がバランスチェアの膝当てを構成する位置にある場合、バランスチェアのシート部は傾斜して配置されるとともに、傾斜面が前方を向く。また、膝当て部が傾斜して配置されるとともに、傾斜面が後方を向く。よって、着座者はシート部に座り、両足を膝当て部で支える。このとき、バランスチェアはバランスチェア状態となり、市場で一般的なバランスチェアを構成する。
【００２１】
シート部は支持部に回動可能に接続され、膝当て部はシート部に回動可能に接続される。本構造はシンプル且つコンパクトであり、低コストである。
【００２２】
伸縮機構は、一端が支持部に回動可能に接続されるとともに、他端がシート部の後部に回動可能に接続される。本構造はシンプル且つコンパクトであり、低コストである。
【００２３】
スタンドには、スタンドに沿って相対的にスライド可能なスライドベースが設けられ、シート部には、シート部に対しスライド可能なスライドロッドが接続され、スライドロッドはスライドベースに接続される。本構造はシンプル且つコンパクトであり、低コストである。
【００２４】
更に、背もたれを含む。背もたれには下方にスライド可能なスライドロッドが設けられ、スライドロッドの下端は支持部に回動可能に接続され、シート部の後部は背もたれに回動可能に接続される。バランスチェア状態とチェア状態では背もたれの角度が異なるため、いずれの状態であっても着座者の快適性が増す。
【００２５】
接続機構は同期コネクティングロッドを含み、同期コネクティングロッドは、一端が膝当て部に回動可能に接続され、他端が、支持部に接続されるとともに、支持部に対し回動可能である。これにより、シンプルな連動構造が実現される。
【００２６】
シート部の前方中央には突出する張り出し部が設けられ、膝当て部の後方中央には凹陥する凹陥部が凹設され、シート部に対し整列する位置にある膝当て部の凹陥部と張り出し部の凹凸が係合する。膝当て部とシート部の回動軸線は、張り出し部の前部と凹陥部の後部を通過する。膝当て部とシート部の傾斜角度は、互いに逆方向に同期して変化する。
【００２７】
膝当て部の前部下方にはコネクティングロッド支持アームが固設される。接続機構は同期コネクティングロッドを含み、同期コネクティングロッドは、一端が膝当て部のコネクティングロッド支持アームの基端に回動可能に接続され、他端が、支持部に接続されるとともに、支持部に対し回動可能である。この場合、組み付けやすく、合理的な機構配置となる。
【００２８】
シャーシは、トレイと、トレイの前方下部に固定接続されるカンチレバーを含む。シート部はトレイに可動に接続され、膝当て部は接続機構を介してカンチレバーの基端に接続される。この場合、組み付けやすく、合理的な機構配置となる。
【００２９】
以下に、図面と実施例を組み合わせて本考案につき更に説明する。
【図面の簡単な説明】
【００３０】
【図１】図１は、実施例１の多機能バランスチェアがバランスチェア状態の場合の構造を示す図である。
【図２】図２は、実施例１の多機能バランスチェアがチェア状態の場合の構造を示す図である。
【図３】図３は、実施例１の多機能バランスチェアにおける一部部品の分解斜視図である。
【図４】図４は、実施例２の多機能バランスチェアがバランスチェア状態の場合の構造を示す図である。
【図５】図５は、実施例２の多機能バランスチェアがチェア状態の場合の構造を示す図である。
【図６】図６は、実施例３の多機能バランスチェアがバランスチェア状態の場合の構造を示す図である。
【図７】図７は、実施例３の多機能バランスチェアがチェア状態の場合の構造を示す図である。
【図８】図８は、実施例３の多機能バランスチェアにおける一部部品の分解斜視図である。
【図９】図９は、実施例４の多機能バランスチェアがバランスチェア状態の場合の構造を示す図である。
【図１０】図１０は、実施例４の多機能バランスチェアがチェア状態の場合の構造を示す図である。
【考案を実施するための形態】
【実施例１】
【００３１】
図１〜３を参照して、多機能バランスチェアは、支持部１０、シート部２０及び膝当て部３０を含む。前記シート部２０は支持部１０に回動可能に接続され、シート部２０の相対的な移動によってシート部２０と水平面との夾角を制御可能である。前記膝当て部３０は、シート部２０に回動可能に接続されるとともに、接続機構を介して支持部１０に接続される。前記膝当て部３０は、シート部２０に対し整列する位置と、バランスチェアの膝当てを構成する位置との間で移動可能である。膝当て部３０とシート部２０の傾斜角度が互いに逆方向に同期して変化するよう、前記シート部２０の移動と膝当て部３０の移動は連動する。且つ、シート部２０が前方に３０°〜４０°傾斜したときにロックされ、変形が完了する。
【００３２】
図２は、前記膝当て部３０がシート部２０に対し整列する位置を示す。即ち、この場合、本考案の多機能バランスチェアはチェア状態となり、市場で一般的な椅子を構成する。前記椅子の座面部は、シート部を含むだけでなく膝当て部も含むため、座面部の面積が拡大する。且つ、膝当てが着座者の足部の配置に干渉することがない。図１は、前記膝当て部３０がバランスチェアの膝当てを構成する位置を示す。即ち、この場合、バランスチェアのシート部２０は傾斜して配置され、且つ、傾斜面が前方を向いている。また、前記膝当て部３０は傾斜して配置され、且つ、傾斜面が後方を向いている。着座者はシート部２０に座り、両足を膝当て部３０で支える。この場合、本考案の多機能バランスチェアはバランスチェア状態となり、市場で一般的なバランスチェアを構成する。
【００３３】
本実施例では、更に、支持部１０に固定接続されるスタンド４０を含む。前記スタンド４０は、円心がシート部２０の回動軸線に位置する弧線を描く。前記スタンド４０には、スタンド４０に沿って相対的にスライド可能なスライドベース４１が設けられている。前記シート部２０には、シート部２０に対し前後にスライド可能な第１スライドロッド２１が接続されている。前記第１スライドロッド２１はスライドベース４１に固定接続又は回動接続される。スライドベース４１がスタンド４０に対しスライドすることで、シート部２０は支持部１０に対し回動可能となる。また、背もたれ５０と手すり６０を更に含む。前記背もたれ５０はスタンド４０に接続され、前記手すり６０はスタンド４０に接続される。前記接続は、例えば、固定接続や回動接続とする。
【００３４】
本実施例において、前記接続機構は同期コネクティングロッド３１を含む。前記同期コネクティングロッド３１は、一端が膝当て部３０に回動可能に接続され、他端が、支持部１０に接続されるとともに、支持部１０に対し回動可能となっている。前記シート部２０の前方中央には、突出する張り出し部２２が設けられる。また、前記膝当て部３０の後方中央には、凹陥する凹陥部３２が凹設される。シート部２０に対し整列する位置にある膝当て部３０の凹陥部３２と張り出し部２２は、凹凸が係合し、互いに噛み合うことで完全な椅子を構成する。最適には、前記膝当て部３０とシート部２０の回動軸線が、張り出し部２２の前部と凹陥部３２の後部を通過する。前記膝当て部３０の前部下方には、コネクティングロッド支持アーム３３が固設されている。前記同期コネクティングロッド３１は、一端が膝当て部３０のコネクティングロッド支持アーム３３の基端に回動可能に接続され、他端が支持部１０に接続されるとともに、支持部１０に対し回動可能となっている。前記他端の接続の例としては、直接的な回動接続とするか、或いは、例えば支持部にスライド溝を開設し、枢着軸と調節機構を別途設け、同期コネクティングロッド３１の他端を枢着軸に回動接続する。枢着軸はスライド溝に可動に係合するよう接続される。調節機構は、スライド溝に対する枢着軸の位置を調節可能に枢着軸と支持部を接続する。調節機構とスライド溝によって、他端の回動接続軸線の相対位置を変更可能となる。
【００３５】
具体的構造において、前記支持部１０は、支持台１１と支持台１１に固定接続されるシャーシ１２を含む。前記支持台１１は、図１又は図２に示すようなキャスター付きの椅子脚とするか、図４及び図５に示す人の字型の脚等とする。前記シャーシ１２は、トレイ１２１と、トレイ１２１の前方下部に固定接続されるカンチレバー１２２を含む。前記シート部２０は、トレイ１２１に回動接続される。また、前記同期コネクティングロッド３１の他端は、カンチレバー１２２の基端に接続される。
【００３６】
必要に応じて、前記シート部２０と支持部１（例えば、トレイ１２１）の間、又は／及び、前記スライドベース４１とスタンド４０の間、又は／及び、前記第１スライドロッド２１とシート部２０の間には第１ロック機構が設けられる。第１ロック機構を緊締することで、多機能バランスチェアをバランスチェア状態又はチェア状態に維持可能となる。また、ロックを解除することで、多機能バランスチェアを変形可能となる。前記第１ロック機構は、例えばロック穴とピンの係合を利用する。ピンをロック穴に挿入することでロックされ、抜くことでロックが解除される。また、必要に応じて、シート部２０と膝当て部３０の間に第２ロック機構を設けてもよい。
【００３７】
本実施例の具体的構造において、前記シート部２０は、クッションブリッジ２３、張り出し部２２、クッション２４を含む。前記クッション２４は凸の字構造をなしており、クッションブリッジ２３、張り出し部２２に固定される。クッションブリッジ２３、張り出し部２２は一体構造としてもよい。前記膝当て部３０は、膝当て台３４と２つの膝当て３５を含む。前記膝当て台３４は凹状構造をなしており、前記２つの膝当て３５がそれぞれ膝当て台３４の左右に固定接続される。また、前記支持アーム３３が、膝当て台３４の前部下方に固設される。前記シート部と膝当て部の軸線は、クッションブリッジ２３の前部と膝当て台３４の前部を通過する。
【００３８】
多機能バランスチェアの変形過程としては、上方へシート部２０の後部を移動させると、同期コネクティングロッドの作用によって膝当て部３０とシート部２０の傾斜角度が互いに逆方向に同期して変化する。そして、シート部２０が前方に３０°〜４０°傾斜したときにロックされ、変形が完了する。
【実施例２】
【００３９】
図４〜５を参照する。実施例１との違いとして、前記支持部１０は人の字型の脚１３とＶ字状ベース１４を含む。前記Ｖ字状ベース１４の２つの開口端は、それぞれ人の字型の脚１３における２つの脚の上部に固定接続される。また、伸縮機構７０を更に含む。前記伸縮機構７０は、一端が支持部１０のＶ字状ベース１４に回動可能に接続されるとともに、他端がシート部２０の後部に固設される後支持アーム２５に回動可能に接続される。前記伸縮機構７０は、例えば油圧シリンダ機構である。前記同期コネクティングロッド３１の他端は、Ｖ字状ベース１４に接続される。
【実施例３】
【００４０】
図６〜８を参照する。実施例１との違いとして、前記背もたれ５０には、下方にスライド可能な第２スライドロッド５１が設けられている。前記第２スライドロッド５１の下端は、支持部１０のトレイ１２１の後部に固設される第２後支持アーム１２３に回動可能に接続される。前記シート部２０のクッション台２３の後部は、背もたれ５０に回動可能に接続される。前記背もたれ５０は、２つの背もたれロッド５２と、２つの背もたれロッド５２の間に固定接続される背もたれクッション５３を含む。前記背もたれロッド５２と第２スライドロッド５１の間には伸縮構造が構成される。前記クッションブリッジ２３の後部は、背もたれロッド５２に回動可能に接続される。最適には、前記背もたれロッドは背もたれクッション５３の下部から伸出している。
【００４１】
必要に応じて、前記シート部２０と支持部１（例えば、トレイ１２１）の間、又は／及び、前記背もたれロッドと第２スライドロッドの間には第１ロック機構が設けられる。第１ロック機構を緊締することで、多機能バランスチェアをバランスチェア状態又はチェア状態に維持可能となる。また、ロックを解除することで、多機能バランスチェアを変形可能となる。前記第１ロック機構は、例えばロック穴とピンの係合を利用する。ピンをロック穴に挿入することでロックされ、抜くことでロックが解除される。また、必要に応じて、シート部２０と膝当て部３０の間に第２ロック機構を設けてもよい。
【実施例４】
【００４２】
図９〜１０を参照する。実施例３との違いとして、前記支持部１０は人の字型の脚１３を含む。前記同期コネクティングロッドの他端は、人の字型の脚１３の前脚に回動可能に接続される。また、前記第２スライドロッドは、人の字型の脚１３の後脚に回動可能に接続される。
【００４３】
以上の記載は本考案の好ましい実施例にすぎず、本考案の実施範囲はこれに限らない。即ち、実用新案登録請求の範囲及び明細書の内容に基づき実施される等価の変形及び補足は、いずれも本考案の範囲に属する。
【産業上の利用可能性】
【００４４】
本考案の多機能バランスチェアは、緻密な構想とシンプルな構造で多機能切り替えを可能としている。膝当て部がシート部に対し整列する位置にある場合にはチェア状態となり、市場で一般的な椅子を構成する。また、膝当て部がバランスチェアの膝当てを構成する位置にある場合、バランスチェアはバランスチェア状態となり、市場で一般的なバランスチェアを構成する。
【図１】
0003226353.tif 000003
【図２】
0003226353.tif 000004
【図３】
0003226353.tif 000005
【図４】
0003226353.tif 000006
【図５】
0003226353.tif 000007
【図６】
0003226353.tif 000008
【図７】
0003226353.tif 000009
【図８】
0003226353.tif 000010
【図９】
0003226353.tif 000011
【図１０】
0003226353.tif 000012